(57)【特許請求の範囲】
【請求項１】
光ケーブルを敷設した際に光回線の開通試験を行う回線開通試験システムであって、
敷設した光ケーブルの加入者側に接続された子機と、
前記子機に接続され、加入者のデータが入力される試験用コンピュータと、
前記光ケーブルの親機側に接続され、かつ、加入者のデータを記憶しているサーバと、
を備え、
前記サーバに対して前記試験用コンピュータがリンクされた状態で、前記サーバが、前記試験用コンピュータに入力された加入者のデータと、前記サーバが記憶している加入者のデータとを比較して、その結果を前記試験用コンピュータに送信し、
前記試験用コンピュータは、あらかじめ前記サーバに記憶されている回線速度試験用の試験データにアクセスして、前記試験データをダウンロードし、ダウンロードが終了するまでの時間を計測して回線速度を算出するとともに、あらかじめ記憶されているインターネットの所定サイトにアクセスして、インターネットの接続試験を行う、ことを特徴とする回線開通試験システム。
【請求項２】
光ケーブルを敷設した際に光回線の開通試験を行う回線開通試験システムであって、
敷設した光ケーブルの加入者側に接続された子機と、
前記子機に接続され、加入者のデータが入力される試験用コンピュータと、
加入者のデータを記憶している前記光ケーブルの親機と、
前記親機側に接続されたサーバと、
を備え、
前記親機に対して前記試験用コンピュータがリンクされた状態で、前記親機が、前記試験用コンピュータに入力された加入者のデータと、前記親機が記憶している加入者のデータとを比較して、その結果を前記試験用コンピュータに送信し、
前記試験用コンピュータは、あらかじめ前記サーバに記憶されている回線速度試験用の試験データにアクセスして、前記試験データをダウンロードし、ダウンロードが終了するまでの時間を計測して回線速度を算出するとともに、あらかじめ記憶されているインターネットの所定サイトにアクセスして、インターネットの接続試験を行う、ことを特徴とする回線開通試験システム。
【発明の詳細な説明】
【技術分野】
【０００１】
この発明は、光ケーブルを敷設した際に行われる回線開通試験システムに関する。
【背景技術】
【０００２】
光ケーブルを使った光通信サービスを受けるために、局舎内の局側装置（以下、「親機」という）に接続されている光ケーブルを、工事会社の工事担当者が新規加入者の宅内に引き込む。なお、一般的に親機については、加入者側と局側とでＮ対１（Ｎは２以上の自然数）の通信が行われ、局舎に複数の親機が設置されている。光ケーブルの引き込みが終了すると、工事担当者は、新規の加入者宅内に宅側装置（以下、「子機」という）を設置し、この子機に光ケーブルを接続する。この後、工事担当者は、光ケーブルを用いた光回線の開通試験を行う（例えば、特許文献１参照。）。開通試験では、所定の親機に対して指定されたポートに子機が接続されているか、などが調べられる。
【０００３】
開通試験を行う際に、工事担当者は携帯電話機などを用いて、局側に設置されているネットワークオペレーションセンタのオペレータと連絡を取りながら試験を行う。ネットワークオペレーションセンタは、光通信サービスを提供する局側に設置されたシステムであり、光通信サービスを各加入者に提供するために、光ケーブルの監視などを行っている。開通試験が終了すると、光ケーブルを用いた光回線が確立され、光通信を用いたインターネットの利用などが可能になる。
【特許文献１】特開２０００−２７００９７号公報
【発明の開示】
【発明が解決しようとする課題】
【０００４】
ところで、開通試験を行う際に、光ケーブルの工事の関係などから、試験が重なる場合がある。こうした場合、新規の各加入者宅で工事を行っている工事担当者が、ネットワークオペレーションセンタのオペレータに同時に連絡すると、電話がつながらないときがある。このようなときには、電話機がつながるまで待つことになるので、工事担当者が新規加入者宅に滞在する時間が長くなり、新規加入者に対する負担が増加する結果となる。また、工事担当者が次の新規加入者宅を訪問する時間も遅れることになる。
【０００５】
この発明の目的は、前記の課題を解決し、開通試験が重なっても、開通試験の待ち時間を無くすことを可能にする回線開通試験システムを提供することにある。
【課題を解決するための手段】
【００１０】
前記の課題を解決するために、請求項１の発明は、光ケーブルを敷設した際に光回線の開通試験を行う回線開通試験システムであって、敷設した光ケーブルの加入者側に接続された子機と、前記子機に接続され、加入者のデータが入力される試験用コンピュータと、前記光ケーブルの親機側に接続され、かつ、加入者のデータを記憶しているサーバと、を備え、前記サーバに対して前記試験用コンピュータがリンクされた状態で、前記サーバが、前記試験用コンピュータに入力された加入者のデータと、前記サーバが記憶している加入者のデータとを比較して、その結果を前記試験用コンピュータに送信し、前記試験用コンピュータは、あらかじめ前記サーバに記憶されている回線速度試験用の試験データにアクセスして、前記試験データをダウンロードし、ダウンロードが終了するまでの時間を計測して回線速度を算出するとともに、あらかじめ記憶されているインターネットの所定サイトにアクセスして、インターネットの接続試験を行う、ことを特徴とする回線開通試験システムである。
【００１１】
請求項１の発明では、工事担当者が加入者宅で、敷設した光ケーブルに子機を接続し、さらに、この子機に対して、加入者のデータが入力された試験用コンピュータを接続する。一方、局舎側では、光ケーブルの親機側に接続され、かつ、加入者のデータを記憶しているサーバが設置されている。こうした状態のとき、サーバに対して、試験用コンピュータをリンクし、試験用コンピュータに入力された加入者のデータと、サーバが記憶している加入者のデータとを基にして開通試験を行う。
【００１２】
請求項２の発明は、光ケーブルを敷設した際に光回線の開通試験を行う回線開通試験システムであって、敷設した光ケーブルの加入者側に接続された子機と、前記子機に接続され、加入者のデータが入力される試験用コンピュータと、加入者のデータを記憶している前記光ケーブルの親機と、前記親機側に接続されたサーバと、を備え、前記親機に対して前記試験用コンピュータがリンクされた状態で、前記親機が、前記試験用コンピュータに入力された加入者のデータと、前記親機が記憶している加入者のデータとを比較して、その結果を前記試験用コンピュータに送信し、前記試験用コンピュータは、あらかじめ前記サーバに記憶されている回線速度試験用の試験データにアクセスして、前記試験データをダウンロードし、ダウンロードが終了するまでの時間を計測して回線速度を算出するとともに、あらかじめ記憶されているインターネットの所定サイトにアクセスして、インターネットの接続試験を行う、ことを特徴とする回線開通試験システムである。
【００１３】
請求項２の発明では、工事担当者が加入者宅で、敷設した光ケーブルに子機を接続し、さらに、この子機に対して、加入者のデータが入力された試験用コンピュータを接続する。一方、局舎では、光ケーブルの親機側が加入者のデータを記憶している。こうした状態のとき、親機に対して、試験用コンピュータをリンクし、試験用コンピュータに入力された加入者のデータと、親機が記憶している加入者のデータとを基にして開通試験を行う。
【発明の効果】
【００１４】
請求項１の発明によれば、工事担当者の試験用コンピュータが局舎側のサーバとの間で、回線速度の算出やインターネットの接続試験などの開通試験を自動的に行うので、光通信を利用できる環境までを自動で確立することが可能になる。また、敷設した光ケーブルを利用して、工事担当者が試験用コンピュータを用いてサーバから加入者のデータの比較結果を得ることによって、局舎側のサーバのオペレータを介さずに、試験用コンピュータだけで開通試験を行うことを可能にする。これにより、開通試験が重なっても、工事担当者の待ち時間を無くすことができ、また、開通試験のために新規加入者を拘束する時間を短縮することができ、さらに、次の新規加入者宅を時間どおりに訪問することを可能にする。つまり、加入者および工事担当者の負担を軽減することを可能にする。
【００１５】
請求項２の発明によれば、工事担当者の試験用コンピュータが局舎の親機との間で、回線速度の算出やインターネットの接続試験などの開通試験を自動的に行うので、請求項１の発明と同様に、開通試験が重なっても、開通試験の待ち時間が発生することを防ぐことができる。これにより、加入者および工事担当者の負担を軽減することを可能にする。
【発明を実施するための最良の形態】
【００１８】
次に、この発明の実施の形態について、図面を用いて詳しく説明する。
【００１９】
（実施の形態１）
この実施の形態による回線開通試験システムを図１に示す。この回線開通試験システムは、局舎と新規加入者宅との間に敷設された光ケーブル１０１を利用して、光回線の開通試験を行うものであり、新規加入者宅に設置されている子機１１、局舎に設置されている親機２１１〜２１ｍ、ネットワークオペレーションセンタに設置されている接続装置３１、サーバ３２、管理用パーソナルコンピュータ（ＰＣ）３３および工事担当者によって操作される試験用パーソナルコンピュータ（ＰＣ）４１を備えている。なお、接続装置３１は局舎に設置してもよい。
【００２０】
子機１１は、顧客である新規加入者宅における光ケーブル１０１の終端装置であり、局舎からの光信号を電気信号に変換し、また、子機１１に接続されたコンピュータからの電気信号を光信号に変換して局舎に送信する。局舎の親機２１１〜２１ｍは、１対Ｎの光通信をそれぞれ行うものである。親機２１１〜２１ｍに対する通信設定、例えば通信速度の設定などは、親機２１１〜２１ｍに接続または内蔵されているコンピュータ（図示を省略）により行われる。ネットワークオペレーションセンタの接続装置３１は、親機２１１〜２１ｍからの光信号を電気信号に変換して、インターネット網１１１に送り、また、インターネット網１１１からの電気信号を光信号に変換して、親機２１１〜２１ｍに送る。
【００２１】
ネットワークオペレーションセンタのサーバ３２は、接続装置３１を経て、局舎の親機２１１〜２１ｍに接続されている光ケーブルの状態を監視するコンピュータである。サーバ３２による監視情報は、管理用パーソナルコンピュータ３３に表示される。また、サーバ３２は、各加入者に関するデータをデータベース（図示を省略）に記録している。このデータには、新規加入者の受け付けを表す受付管理データがある。この受付管理データには、新規に申し込みを行った際の受付番号、新規加入者の氏名、新規加入者のホスト名、新規加入者側に接続される親機のポート、開通試験の際に使用される試験用パーソナルコンピュータ４１の識別データを表す端末識別データ、設置される子機の型式などが記録される。さらに、サーバ３２は、新たに敷設された光ケーブル１０１の開通試験を、パーソナルコンピュータ４１と共に行う。
【００２２】
次に、この実施の形態の回線開通試験システムを用いた回線開通試験方法について説明する。この回線開通試験方法は、図２に示すように、サーバ３２と試験用パーソナルコンピュータ４１との間で開通試験を行うものである。なお、図２は、この実施の形態による回線開通試験方法の概略を説明する図であり、光ケーブル１０１を簡略化して記載し、接続装置３１やインターネット網１１１の記載を省略している。ネットワークオペレーションセンタでは、オペレータが管理用パーソナルコンピュータ３３を操作して、新規加入者のデータを受付管理データに追加する。
【００２３】
工事の当日になると、図３〜図５に示すように、ネットワークオペレーションセンタの担当者は、工事担当者による開通試験が行われる前に、管理用パーソナルコンピュータ３３を操作して、親機２１１とサーバ３２との間のリンクを確立し、データの送受信が可能な状態にしておく（ステップＳ１）。
【００２４】
一方、工事担当者は、新規加入者宅に光ケーブル１０１を敷設し、子機１１を光ケーブル１０１に接続する。さらに、工事担当者は試験用パーソナルコンピュータ４１を子機１１に接続して、試験用パーソナルコンピュータ４１を起動する（ステップＳ２）。この後、工事担当者が試験用パーソナルコンピュータ４１に新規加入者のデータを入力すると、試験用パーソナルコンピュータ４１は入力データを記憶する（ステップＳ３）。この入力データは、新規に申し込みを行った際の受付番号、新規加入者の氏名、新規加入者のホスト名、新規加入者側に接続される親機のポート、開通試験の際に使用される試験用パーソナルコンピュータ４１の識別データを表す端末識別データ、設置される子機の型式などである。新規加入者のデータ入力が終了し、工事担当者が子機１１の電源を入れると（ステップＳ４）、リンクがスタートとなる（ステップＳ５）。
【００２５】
ステップＳ５が終了して子機１１とサーバ３２との間のリンクが確立すると、サーバ３２は、試験用パーソナルコンピュータ４１の入力データを参照して（ステップＳ６）、ポートの比較を行い（ステップＳ７）、リンクを確認する。サーバ３２は、リンクの確認結果を試験用パーソナルコンピュータ４１に送信する（ステップＳ８）。試験用パーソナルコンピュータ４１は、リンクの確認結果を受信すると、このリンクの確認結果を表示し（ステップＳ９）、ポートの比較結果が正常であると、リンクの確認結果を一時的に記憶する（ステップＳ１０）。なお、ステップＳ７で、ポートの比較結果が異常であると、サーバ３２は、ポートの異常を管理用パーソナルコンピュータ３３に通知する。
【００２６】
ステップＳ１０が終了すると、サーバ３２は、ステップＳ３で試験用パーソナルコンピュータ４１が記憶している入力データを参照し（ステップＳ１１）、この入力データと、受付管理データに記録しているデータであって、該当する新規加入者のデータとを比較して（ステップＳ１２）、新規加入者の認証を行う。このとき、サーバ３２は、受付番号、新規加入者の氏名およびポートを比較して、新規加入者の認証を行う。サーバ３２は、この認証結果を試験用パーソナルコンピュータ４１に送信する（ステップＳ１３）。試験用パーソナルコンピュータ４１は、認証結果を受信すると、認証結果を表示し（ステップＳ１４）、認証結果が正常であれば、認証結果を一時的に記憶する（ステップＳ１５）。なお、ステップＳ１２で、認証結果が異常であると、サーバ３２は、認証結果の異常を管理用パーソナルコンピュータ３３に通知する。
【００２７】
ステップＳ１５が終了すると、試験用パーソナルコンピュータ４１は光リンク確認の作業開始をサーバ３２に通知する（ステップＳ１６）。この後、試験用パーソナルコンピュータ４１は、あらかじめ登録されている、電源切りのメッセージ、例えば「子機の電源を抜いてください」というメッセージを表示する（ステップＳ１７）。このメッセージを見て、工事担当者が子機１１の電源を切ると（ステップＳ１８）、子機１１と親機２１１との間に形成されている光リンクがダウンする（ステップＳ１９）。サーバ３２は、光リンクの状態を検出し（ステップＳ２０）、検出結果を一時的に記憶する（ステップＳ２１）。
【００２８】
一方、試験用パーソナルコンピュータ４１は、ステップＳ１７の後、直ちに時間を計測し（ステップＳ２２）、第１の所定時間が経過したかどうかを調べる（ステップＳ２３）。第１の所定時間は、サーバ３２による光リンクの検出時間を基にして設定されている。第１の所定時間が経過していなければ、試験用パーソナルコンピュータ４１は処理をステップＳ２２に戻す。
【００２９】
第１の所定時間が経過すると、試験用パーソナルコンピュータ４１は電源入りのメッセージ、例えば「子機の電源を入れてください」というメッセージを表示する（ステップＳ２４）。このメッセージを見て、工事担当者が子機１１の電源を入れると（ステップＳ２５）、子機１１と親機２１１との間の光リンクがアップする（ステップＳ２６）。サーバ３２は、再び光リンクの状態を検出し（ステップＳ２７）、検出結果を一時的に記憶する（ステップＳ２８）。
【００３０】
一方、試験用パーソナルコンピュータ４１は、ステップＳ２４の後、直ちに時間を計測し（ステップＳ２９）、第２の所定時間が経過したかどうかを調べる（ステップＳ３０）。第２の所定時間は、第１の所定時間と同様に、サーバ３２による光リンクの検出時間を基にして設定されている。第２の所定時間が経過していなければ、試験用パーソナルコンピュータ４１は処理をステップＳ２９に戻す。第２の所定時間が経過すると、試験用パーソナルコンピュータ４１は、光リンク確認の作業終了をサーバ３２に通知する（ステップＳ３１）。
【００３１】
なお、従来の開通試験において光リンク確認の作業は、ネットワークオペレーションセンタのオペレータと工事担当者との間で、電話機を用いて行われていた作業である。この実施の形態では、光ケーブル１０１を利用し、光リンク確認の作業を自動で行っている。
【００３２】
サーバ３２は、作業終了の通知を受信すると、ステップＳ１６による光リンク確認の作業開始から、ステップＳ３１による作業終了までの間の検出結果を読み出し（ステップＳ３２）、検出結果を比較して（ステップＳ３３）、光リンクの確認を行う。サーバ３２は、光リンクの確認結果を試験用パーソナルコンピュータ４１に送信する（ステップＳ３４）。試験用パーソナルコンピュータ４１は、光リンクの確認結果を受信すると、この確認結果を表示し（ステップＳ３５）、確認結果が正常である場合、つまり、検出結果が光リンクダウンから光リンクアップに変化していると、光リンクの確認結果を一時的に記憶する（ステップＳ３６）。なお、ステップＳ３３で、確認結果が異常であると、サーバ３２は、確認結果の異常を管理用パーソナルコンピュータ３３に通知する。
【００３３】
ステップＳ３６が終了すると、試験用パーソナルコンピュータ４１は、あらかじめサーバ３２に記憶されている回線速度試験用の試験データにアクセスして、試験データのダウンロードを開始し（ステップＳ３７）、ダウンロードが終了するまでの時間を計測して回線速度を算出する（ステップＳ３８）。この後、試験用パーソナルコンピュータ４１は、回線速度を表示して（ステップＳ３９）、回線速度を一時的に記憶する（ステップＳ４０）。
【００３４】
ステップＳ４０が終了すると、試験用パーソナルコンピュータ４１は、あらかじめ記憶している、インターネット網１１１の所定サイト、例えば自社のサイトにアクセスして（ステップＳ４１）、インターネットの接続試験を行う。そして、試験用パーソナルコンピュータ４１は、インターネットの接続試験結果を一時的に記憶する（ステップＳ４２）。
【００３５】
ステップＳ４２が終了すると、試験用パーソナルコンピュータ４１は、ステップＳ３の入力データ、ステップＳ１０のリンクの確認結果、ステップＳ１５の新規加入者の認証結果、ステップＳ３６の光リンクの確認結果、ステップＳ４０の回線速度およびステップＳ４２のインターネットの接続結果を読み出し（ステップＳ４３）、読み出したデータを表示し（ステップＳ４４）、さらに、読み出したデータを、新規加入者の試験結果データとしてサーバ３２に送信する（ステップＳ４５）。この後、工事担当者は試験用パーソナルコンピュータ４１の電源を切り、子機１１との接続を断にし（ステップＳ４６）、子機１１の電源を切って（ステップＳ４７）、開通試験を終了する。一方、サーバ３２は、試験結果データを受信すると、このデータを受付管理データに記憶して、受付管理データを更新する。
【００３６】
この実施の形態により、光ケーブル１０１を敷設したときに、この光ケーブル１０１を用いて、試験用パーソナルコンピュータ４１がネットワークオペレーションセンタのサーバ３２と開通試験を行うので、光通信を利用できる環境までを自動で確立することが可能になる。また、この実施の形態によれば、敷設した光ケーブル１０１を利用し、工事担当者が試験用パーソナルコンピュータ４１を用いてサーバ３２から受付管理データを得ることによって、ネットワークオペレーションセンタのオペレータを介さずに、試験用パーソナルコンピュータ４１だけで開通試験を行うことを可能にする。これにより、工事担当者の待ち時間を無くすことができ、また、開通試験のために新規加入者を拘束する時間を短縮することができ、さらに、次の新規加入者宅を時間どおりに訪問することを可能にする。
【００３７】
（実施の形態２）
この実施の形態では、サーバ３２の代わりに、局舎の親機２１１〜２１ｍを用いて、光回線の開通試験を行う。なお、この実施の形態では、先に説明した実施の形態と同一もしくは同一と見なされる構成要素には、それと同じ参照符号を付けて、その説明を省略する。以下では、光ケーブル１０１を敷設し、局舎の親機２１１に対して、子機１１を設置する場合を例として説明する。
【００３８】
局舎の親機２１１に接続されているコンピュータ（図示を省略）は、新規加入者の受け付けを表す受付管理データを記憶している。つまり、実施の形態１のサーバ３２の代わりに、親機２１１に接続または内蔵されているコンピュータ（以下、単に「親機２１１」という）が受付管理データを記憶している。さらに、親機２１１は、新たに敷設された光ケーブル１０１の開通試験を、パーソナルコンピュータ４１と共に行う。そして、親機２１１は新規加入者の試験結果データをサーバ３２に送る。なお、図示を省略しているが、親機２１１は、ＬＡＮ（Ｌｏｃａｌ  Ａｒｅａ  Ｎｅｔｗｏｒｋ）等により、管理用パーソナルコンピュータ３３とデータの送受信が可能な状態にある。
【００３９】
次に、この実施の形態の回線開通試験システムを用いた回線開通試験方法について説明する。この回線開通試験方法は、図６に示すように、親機２１１と試験用パーソナルコンピュータ４１との間で開通試験を行う。なお、図６は、この実施の形態による回線開通試験方法の概略を説明する図であり、光ケーブル１０１を簡略化して記載し、接続装置３１やインターネット網１１１の記載を省略している。局舎の親機２１１には、新規加入者のデータが受付管理データに追加される。
【００４０】
工事担当者は、光ケーブル１０１を顧客である新規加入者宅に敷設し、子機１１を光ケーブル１０１に接続する。さらに、図７〜図９に示すように、工事担当者は試験用パーソナルコンピュータ４１を子機１１に接続して、試験用パーソナルコンピュータ４１を起動する（ステップＳ１０１）。この後、工事担当者が試験用パーソナルコンピュータ４１に新規加入者のデータを入力すると、試験用パーソナルコンピュータ４１は入力データを記憶する（ステップＳ１０２）。この入力データは実施の形態１と同様である。新規加入者のデータ入力が終了し、工事担当者が子機１１の電源を入れると（ステップＳ１０３）、リンクがスタートとなる（ステップＳ１０４）。
【００４１】
ステップＳ１０４が終了して子機１１と親機２１１との間のリンクが確立すると、親機２１１は、試験用パーソナルコンピュータ４１の入力データを参照して（ステップＳ１０５）、ポートの比較を行い（ステップＳ１０６）、リンクを確認する。親機２１１は、リンクの確認結果を試験用パーソナルコンピュータ４１に送信する（ステップＳ１０７）。試験用パーソナルコンピュータ４１は、リンクの確認結果を受信すると、このリンクの確認結果を表示し（ステップＳ１０８）、ポートの比較結果が正常であると、リンクの確認結果を一時的に記憶する（ステップＳ１０９）。なお、ステップＳ１０６で、ポートの比較結果が異常であると、親機２１１は、管理用パーソナルコンピュータ３３に対して異常を直ちに通知する。
【００４２】
ステップＳ１０９が終了すると、親機２１１は、ステップＳ１０２で試験用パーソナルコンピュータ４１が記憶している入力データを参照し（ステップＳ１１０）、この入力データと、受付管理データに記録しているデータであって、該当する新規加入者のデータとを比較して（ステップＳ１１１）、新規加入者の認証を行う。このとき、親機２１１は、受付番号、新規加入者の氏名およびポートを比較して、新規加入者の認証を行う。親機２１１は、試験用パーソナルコンピュータ４１に認証結果を送信する（ステップＳ１１２）。試験用パーソナルコンピュータ４１は、認証結果を受信すると、認証結果を表示し（ステップＳ１１３）、認証結果が正常であれば、認証結果を一時的に記憶する（ステップＳ１１４）。なお、ステップＳ１１１で、認証結果が異常であると、親機２１１は、管理用パーソナルコンピュータ３３に対して直ちに異常を通知する。
【００４３】
ステップＳ１１４が終了すると、試験用パーソナルコンピュータ４１は光リンク確認の作業開始を親機２１１に通知する（ステップＳ１１５）。この後、試験用パーソナルコンピュータ４１は、あらかじめ登録されている、電源切りのメッセージ、例えば「子機の電源を抜いてください」というメッセージを表示する（ステップＳ１１６）。このメッセージを見て、工事担当者が子機１１の電源を切ると（ステップＳ１１７）、子機１１と親機２１１との間に形成されている光リンクがダウンする（ステップＳ１１８）。サーバ３２は、光リンクの状態を検出し（ステップＳ１１９）、検出結果を一時的に記憶する（ステップＳ１２０）。
【００４４】
一方、試験用パーソナルコンピュータ４１は、ステップＳ１１６の後、直ちに時間を計測し（ステップＳ１２１）、第１の所定時間が経過したかどうかを調べる（ステップＳ１２２）。第１の所定時間が経過していなければ、試験用パーソナルコンピュータ４１は処理をステップＳ１２１に戻す。
【００４５】
第１の所定時間が経過すると、試験用パーソナルコンピュータ４１は電源入りのメッセージ、例えば「子機の電源を入れてください」というメッセージを表示する（ステップＳ１２３）。このメッセージを見て、工事担当者が子機１１の電源を入れると（ステップＳ１２４）、子機１１と親機２１１との間の光リンクがアップする（ステップＳ１２５）。サーバ３２は、再び光リンクの状態を検出し（ステップＳ１２６）、検出結果を一時的に記憶する（ステップＳ１２７）。
【００４６】
一方、試験用パーソナルコンピュータ４１は、ステップＳ１２３の後、直ちに時間を計測し（ステップＳ１２８）、第２の所定時間が経過したかどうかを調べる（ステップＳ１２９）。第２の所定時間が経過していなければ、試験用パーソナルコンピュータ４１は処理をステップＳ１２８に戻す。第２の所定時間が経過すると、試験用パーソナルコンピュータ４１は、光リンク確認の作業終了を親機２１１に通知する（ステップＳ１３０）。
【００４７】
なお、実施の形態１と同様に、従来の開通試験において光リンク確認の作業は、ネットワークオペレーションセンタのオペレータと工事担当者との間で、電話機を用いて行われていた作業である。この実施の形態では、光ケーブル１０１を利用し、光リンク確認の作業を自動で行っている。
【００４８】
親機２１１は、作業終了の通知を受信すると、サーバ３２とのリンクを確立する（ステップＳ１３１）。この後、サーバ３２は、光リンクの確立以前であって、第２の所定時間から第１の所定時間の始めまでさかのぼった間、つまり、光リンク確認の作業開始から作業終了までの間の検出結果を読み出して（ステップＳ１３２）、この検出結果を親機２１１に送る（ステップＳ１３３）。親機２１１は、検出結果を受け取ると、検出結果を比較して（ステップＳ１３４）、光リンクの確認を行う。親機２１１は、光リンクの確認結果を試験用パーソナルコンピュータ４１に送信する（ステップＳ１３５）。試験用パーソナルコンピュータ４１は、光リンクの確認結果を受信すると、この確認結果を表示し（ステップＳ１３６）、確認結果が正常である場合、つまり、検出結果が光リンクダウンから光リンクアップに変化していると、光リンクの確認結果を一時的に記憶する（ステップＳ１３７）。なお、ステップＳ１３４で、確認結果が異常であると、親機２１１は、管理用パーソナルコンピュータ３３に異常を通知する。
【００４９】
ステップＳ１３７が終了すると、試験用パーソナルコンピュータ４１は、サーバ３２とリンクを確立する（ステップＳ１３８）。この後、試験用パーソナルコンピュータ４１は、あらかじめサーバ３２に記憶されている回線速度試験用の試験データにアクセスして、試験データのダウンロードを開始し（ステップＳ１３９）、ダウンロードが終了するまでの時間を計測して回線速度を算出する（ステップＳ１４０）。この後、試験用パーソナルコンピュータ４１は、回線速度を表示して（ステップＳ１４１）、回線速度を一時的に記憶する（ステップＳ１４２）。
【００５０】
ステップＳ１４２が終了すると、試験用パーソナルコンピュータ４１は、あらかじめ記憶している、インターネット網１１１の所定サイト、例えば自社のサイトにアクセスして（ステップＳ１４３）、インターネットの接続試験を行う。そして、試験用パーソナルコンピュータ４１は、インターネットの接続試験結果を一時的に記憶する（ステップＳ１４４）。
【００５１】
ステップＳ１４４が終了すると、試験用パーソナルコンピュータ４１は、ステップＳ１０２の入力データ、ステップＳ１０９のリンクの確認結果、ステップＳ１１４の新規加入者の認証結果、ステップＳ１３７の光リンクの確認結果、ステップＳ１４２の回線速度およびステップＳ１４４のインターネットの接続結果を読み出し（ステップＳ１４５）、読み出したデータを表示し（ステップＳ１４６）、さらに、読み出したデータを、新規加入者の試験結果データとしてサーバ３２に送信する（ステップＳ１４７）。この後、工事担当者は試験用パーソナルコンピュータ４１の電源を切り、子機１１との接続を断にし（ステップＳ１４８）、子機１１の電源を切って（ステップＳ１４９）、開通試験を終了する。一方、サーバ３２は、試験結果データを受信すると、このデータを受付管理データに記憶して、受付管理データを更新する。
【００５２】
この実施の形態により、実施の形態１と同様の効果を得ることができる。さらに、試験用パーソナルコンピュータ４１と親機２１１〜２１ｍとによって開通試験を行うので、試験開始以前に親機２１１〜２１ｍとサーバ３２との間にリンクを形成することが不要であり、また、サーバ３２の負担を軽くすることができる。
【００５３】
以上、この発明の各実施の形態を詳述してきたが、具体的な構成は各実施の形態に限られるものではなく、この発明の要旨を逸脱しない範囲の設計の変更等があっても、この発明に含まれる。例えば、局舎での親機の接続には、各種の接続状態がある。
【図面の簡単な説明】
【００５４】
【図１】この発明の実施の形態１による回線開通試験システムを示す構成図である。
【図２】実施の形態１による回線開通試験方法を説明するための図である。
【図３】実施の形態１による回線開通試験方法を説明するシーケンス図である。
【図４】実施の形態１による回線開通試験方法を説明するシーケンス図である。
【図５】実施の形態１による回線開通試験方法を説明するシーケンス図である。
【図６】実施の形態２による回線開通試験方法を説明するための図である。
【図７】実施の形態２による回線開通試験方法を説明するシーケンス図である。
【図８】実施の形態２による回線開通試験方法を説明するシーケンス図である。
【図９】実施の形態２による回線開通試験方法を説明するシーケンス図である。
【符号の説明】
【００５５】
１１  子機
２１１〜２１ｍ  親機
３１  接続装置
３２  サーバ
３３  管理用パーソナルコンピュータ
４１  試験用パーソナルコンピュータ
【図１】
0004863958.tif 000002
【図２】
0004863958.tif 000003
【図３】
0004863958.tif 000004
【図４】
0004863958.tif 000005
【図５】
0004863958.tif 000006
【図６】
0004863958.tif 000007
【図７】
0004863958.tif 000008
【図８】
0004863958.tif 000009
【図９】
0004863958.tif 000010